(57)【要約】【課題】溶質に対する優れた機能を有する水溶液調製用の水質溶媒を容易かつ安価に生成する。【解決手段】２５℃の温度下でのイオン積が１０-14ｍｏｌ／Ｌを越える水溶液調製用の水質溶媒を生成する水質溶媒生成方法、および、水質溶媒生成装置である。当該水質溶媒生成方法は、電解質の希薄水溶液を被電解水とし、同被電解水を有隔膜電解槽を構成する陽極側電解室および陰極側電解室のいずれか一方の電解室に供給して一方の電解室にて電解し、次いで、生成された電解生成水を前記陽極側電解室および陰極側電解室のいずれか他方に供給して他方の電解室にて電解する循環電解する方法である。また、当該水質溶媒生成装置は、有隔膜電解槽を主体とし、当該循環電解を実施し得る電解水生成装置である。【選択図】    図１
2005185960.tif 000002
【特許請求の範囲】
【請求項１】
２５℃の温度下でのイオン積が１０-14ｍｏｌ／Ｌを越える水溶液調製用の水質溶媒を生成する溶媒生成方法であり、当該溶媒生成方法は電解質の希薄水溶液を被電解水とし、同被電解水を有隔膜電解槽を構成する陽極側電解室および陰極側電解室のいずれか一方の電解室に供給して一方の電解室にて電解し、次いで、生成された電解生成水を前記陽極側電解室および陰極側電解室のいずれか他方に供給して他方の電解室にて電解することを特徴とする水溶液調製用水質溶媒の生成方法。
【請求項２】
請求項１に記載の水溶液調製用水質溶媒を生成する水質溶媒生成装置であり、当該溶媒生成装置は、有隔膜電解槽を主体とし、同有隔膜電解槽を構成する陽極側電解室および陰極側電解室のいずれか一方の電解室に接続されて前記被電解水を一方の電解室に供給する給水管路と、前記陽極側電解室および陰極側電解室に接続されてこれら両電解室を互いに連通させ一方の電解室にて生成される電解生成水を他方の電解室へ供給する連結管路と、前記陽極側電解室および陰極側電解室のいずれか他方の電解室に接続されて他方の電解室にて生成される電解生成水を流出させる流出管路を備えていることを特徴とする水質溶媒の生成装置。
【発明の詳細な説明】
【技術分野】
【０００１】
本発明は、溶質を溶解して水溶液を調製するための水溶液調製用の水質溶媒を生成する水質溶媒生成方法、および、同水質溶媒を生成する水質溶媒生成装置に関する。
【背景技術】
【０００２】
水溶性の溶質を溶媒に溶解して水溶液を調製する場合、水質溶媒としては、２５℃の温度下でのイオン積［Ｈ］・［ＯＨ］が１０-14である通常の水を採用するのが一般である。しかしながら、近年、２５℃の温度下でのイオン積［Ｈ］・［ＯＨ］が通常の水より高い電解生成水が、溶質に対する機能が通常の水に比較して優れた水質溶媒であるものと確認されている。当該電解生成水に関して、「イオン積を高めた電解水、その製造方法、及びその評価方法」の名称で特許出願されている（特許文献１を参照）。
【０００３】
上記した特許文献にて提案されているイオン積を高めた電解水およびその製造方法は、イオン積の高い電解生成水の評価方法の知得に基づくものであり、実質的には、当該評価方法を特定したにすぎない電解水およびその製造方法である。このため、当該電解生成水の製造方法が具体的に、如何なる電解条件を採用しているのか不明である。当該特許文献には、当該電解水が陰極電解水（電解生成アルカリ性水）であって、一般に採用されていると推測される電解条件の下で製造されることが開示されているにすぎない。
【特許文献１】特開２００３−８０２５９号公報
【発明の開示】
【発明が解決しようとする課題】
【０００４】
本発明の目的は、溶質に対する優れた機能を有する水溶液調製用の水質溶媒を生成するための水質溶媒生成方法、および、当該水質溶媒を生成するするための水質溶媒生成装置を提供することにある。
【課題を解決するための手段】
【０００５】
本発明は、２５℃の温度下でのイオン積が１０-14ｍｏｌ／Ｌを越える水溶液調製用の水質溶媒を生成する水質溶媒生成方法、および、当該水質溶媒を生成する水質溶媒生成装置に関する。
【０００６】
本発明に係る水質溶媒生成方法においては、電解質の希薄水溶液を被電解水とし、同被電解水を有隔膜電解槽を構成する陽極側電解室および陰極側電解室のいずれか一方の電解室に供給して一方の電解室にて電解し、次いで、生成された電解生成水を前記陽極側電解室および陰極側電解室のいずれか他方に供給して他方の電解室にて電解することを特徴とするものである。
【０００７】
また、本発明に係る水質溶媒生成装置においては、有隔膜電解槽を主体とし、同有隔膜電解槽を構成する陽極側電解室および陰極側電解室のいずれか一方の電解室に接続されて前記被電解水を一方の電解室に供給する給水管路と、前記陽極側電解室および陰極側電解室に接続されてこれら両電解室を互いに連通させ一方の電解室にて生成される電解生成水を他方の電解室へ供給する連結管路と、前記陽極側電解室および陰極側電解室のいずれか他方の電解室に接続されて他方の電解室にて生成される電解生成水を流出させる流出管路を備えていることを特徴とするものである。
【発明の効果】
【０００８】
本発明に係る水質溶媒生成方法にて生成の対象としている水質溶媒は、２５℃の温度下でのイオン積が１０-14ｍｏｌ／Ｌを越える水質溶媒であって、溶質に対する高い溶解作用を有するとともに水溶液中の溶質に対する高い活性化作用を有するものであり、本発明に係る水質溶媒生成方法によれば、これらの特性を有する水質溶媒を容易にかつ安価に生成することができるものである。
【０００９】
また、本発明に係る溶媒生成方法によれば、酸性側またはアルカリ性側に大きく偏ることがない、微酸性〜微アルカリ性で実質的には略中性として扱える水質溶媒を生成することができる。当該水質溶媒は、実質的に略中性としてｐＨの高低に左右されることなく、溶質に対する高い溶解作用を発揮するとともに、水溶液中の溶質に対する高い活性化作用を発揮するもので、極めて汎用性が高いものである。
【００１０】
本発明に係る水質溶媒生成方法は、本発明に係る水質溶媒生成装置によって、容易にかつ安価に実施することができるものである。
【発明を実施するための最良の形態】
【００１１】
本発明に係る溶媒生成方法の一実施態様は、２５℃の温度下でのイオン積が１０-14ｍｏｌ／Ｌを越える水溶液調製用の水質溶媒であって、ｐＨが５．５〜８．５の範囲にある水質溶媒を生成の対象としている。当該水溶液調製用水質溶媒は、溶質に対して高い溶解作用を有するとともに高い活性化作用を有するものであり、その上、実質的に略中性であることから、溶質に対してｐＨの高低の影響を与えないものである。
【００１２】
従って、当該水溶液調製用水質溶媒は、溶質に対する優れた機能を有する機能性水質溶媒である。当該水溶液調製用水質溶媒を使用した一溶質の水溶液を調製する実験によるＳＯＤ活性の測定結果では、当該水溶液調製用水溶媒が溶質に対して高い抗酸化力を付与している結果を得ている。
【００１３】
ＳＯＤは、スーパオキシドジスムターゼの略称であり、スーパオキシドアニオンラジカルの不均一化反応を拡散律速に近い速さで触媒する酵素である。ＳＯＤは、Ｏ・-を速やかに消去することにより、Ｏ・-による、さらにＯ・-に由来する他の活性酸素、特に、ヒドロキシルリジカル（・ＯＨ）によるＤＮＡ、膜脂質、酵素蛋白質、炭水化物の酸化的損傷を抑制すべく機能するものである。従って、ＳＯＤ活性を高めること、換言すれば、ＳＯＤの機能を高めることは極めて重要な機能であり、本発明に係る水溶液調製用水質溶媒は、当該機能を有する有用な水溶液調製用水質溶媒である。
【００１４】
このように有用な水溶液調製用水質溶媒は、電解質の希薄水溶液を被電解水とし、同被電解水を有隔膜電解槽を構成する陽極側電解室および陰極側電解室のいずれか一方の電解室に供給して一方の電解室にて電解し、次いで、生成された電解生成水を前記陽極側電解室および陽極側電解室のいずれか他方の電解室に供給して他方の電解室にて電解することにより生成することができる。
【００１５】
本発明に係る溶媒生成方法の一実施態様では、塩化ナトリウム、塩化カリウム等の電解質の希薄水溶液を被電解水とし、当該被電解水を、有隔膜電解槽を構成する陽極側電解室に供給して同電解室にて電解し、次いで、生成された電解生成酸性水を、有隔膜電解槽を構成する陰極側電解室に供給して同電解室にて電解して、略中性の電解生成水（水質溶媒）を生成する方法を採用している。
【００１６】
また、本発明に係る溶媒生成装置の一実施形態は、本発明に係る水質溶媒生成方法の上記した一実施態様を容易に実施し得るもので、本実施形態では図１に示す水質溶媒生成装置を採用している。当該溶媒生成装置は、有隔膜電解槽１０を主体とするものである。有隔膜電解槽１０は、槽本体１１の内部をイオン透過可能な隔膜１２にて区画してなるもので、各区画室にはそれぞれ電極１３ａ，１３ｂが配設されていて、一方の区画室を陽極側電解室Ｒ1に形成され、かつ、他方の区画室を陰極側電解室Ｒ2に形成されている。
【００１７】
当該有隔膜電解槽１０においては、陽極側電解室Ｒ1には、被電解水の給水管路２１が接続されていて、被電解水が陽極側電解室Ｒ1に供給されるように構成されている。また、陽極側電解室Ｒ1と陰極側電解室Ｒ2には、これら両電解室Ｒ1，Ｒ2を互いに連通させる連結管路２２が接続されていて、陽極側電解室Ｒ1にて生成された電解生成水が被電解水として、連結管路２２を介し、陰極側電解室Ｒ2に供給されるように構成されている。また、陰極側電解室Ｒ2には、流出管路２３が接続されていて、陰極側電解室Ｒ2にて生成される電解生成水が陰極側電解室Ｒ2から流出されるように構成されている。
【００１８】
従って、当該水質溶媒生成装置における電解運転では、被電解水は、給水管路２１を介して陽極側電解室Ｒ1に供給されて電解に付され、次いで、生成された電解生成水は、連結管路２２を介して陰極側電解室Ｒ2に供給されて電解に付される。陰極側電解室Ｒ2にて生成された電解生成水は、流出管路２３を介して流出する。流出管路２３から流出する電解生成水が、当該水質溶媒生成方法で生成の対象としている水質溶媒である。
【００１９】
当該電解運転では、被電解水の陽極側電解室Ｒ1での電解では電解生成酸性水が生成され、引続きなされる電解生成酸性水の陰極側電解室Ｒ2での電解では、略中性の電解生成水が生成される。また、陽極側電解室Ｒ1での電解では、生成される電解生成酸性水のイオン積が高められ、かつ、陰極側電解室Ｒ2での電解では、生成される略中性の電解生成水のイオン積が高められる。すなわち、当該溶媒生成装置においては、電解生成水は略中性になるとともに、２度の電解時に付与される２度の電気エネルギーの作用により、イオン積が一層高められることになる。
【実施例】
【００２０】
本実施例では、希薄食塩水を被電解水とする有隔膜電解によって、イオン積が通常の水より高い水（水質溶媒）を生成する水質溶媒生成実験を試みた。水質溶媒生成実験の第１の実験では、通常の有隔膜電解槽を有する電解水生成装置を使用して、当該有隔膜電解槽の陽極側電解室にて電解生成酸性水を生成するとともに、陰極側電解室にて電解生成アルカリ性水を生成した。本水質溶媒生成実験では、当該電解生成酸性水を水質溶媒（Ａ）とし、当該電解生成アルカリ性水を水質溶媒（Ｂ）とした。また、本水質溶媒生成実験の第２の実験では、図１に示す本発明に係る電解水生成装置を使用して、先ず、希薄食塩水を有隔膜電解槽の陽極側電解室で電解し、次いで、陽極側電解室にて生成された電解生成酸性水を有隔膜電解槽の陰極側電解室で電解する電解（循環電解という）にて電解生成水を生成した。本水質溶媒生成実験では、当該電解生成水を水質溶媒（Ｃ）とした。得られた各水質溶媒の特性である解離度（ｌｏｇイオン積）、および、ｐＨを表１に示す。
【００２１】
【表１】
2005185960.tif 000003
【図面の簡単な説明】
【００２２】
【図１】本発明に係る溶媒生成装置の一実施形態を示す概略構成図である。
【符号の説明】
【００２３】
１０…有隔膜電解槽、１１…槽本体、１２…隔膜、１３ａ，１３ｂ…電極、２１…給水管路、２２…連結管路、２３…流出管路、Ｒ1…陽極側電解室、Ｒ2…陰極側電解室。
【図１】
2005185960.tif 000004